(57)【要約】【課題】シート状基材の少なくとも片方の面に遮熱材を配設することによって、建物の外部側で熱を遮断し室内外における熱の通過を低減して、二次的に建物の省エネルギー化を推進する。【解決手段】合成樹脂のシート状基材１１のいずれか一方の面に略一定の高さで突出した複数の散点状の突起１４を一体的に形成し、上記シート状基材１１の片方の面には熱を遮断する性質を有する遮熱材１２を配設し、該シート状基材１１の他方の面には紙１３又は不織布を一体的に接合したものである。これにより、遮熱材１２の存在によって建物の外部側で熱を遮断し室内外における熱の通過を低減することができる。【選択図】図１
2008214934.tif 000002
【特許請求の範囲】
【請求項１】
合成樹脂のシート状基材のいずれか一方の面に略一定の高さで突出した複数の突部を一体的に形成し、上記シート状基材の片方の面には熱を遮断する性質を有する遮熱材を配設したことを特徴とする建築用下地材。
【請求項２】
合成樹脂のシート状基材のいずれか一方の面に略一定の高さで突出した複数の突部を一体的に形成し、上記シート状基材の片方の面には熱を遮断する性質を有する遮熱材を配設し、該シート状基材の他方の面には紙又は不織布を一体的に接合したことを特徴とする建築用下地材。
【請求項３】
合成樹脂のシート状基材のいずれか一方の面に略一定の高さで突出した複数の突部を一体的に形成し、上記シート状基材の両方の面には熱を遮断する性質を有する遮熱材を配設したことを特徴とする建築用下地材。
【請求項４】
上記複数の突部は、散点状の突起又は所定間隔で直線状に延びて設けられた複数本の突条であることを特徴とする請求項１〜３のいずれか１項に記載の建築用下地材。
【請求項５】
上記遮熱材は、上記シート状基材の複数の突部が形成された一方の面に配設したことを特徴とする請求項１又は２記載の建築用下地材。
【請求項６】
上記シート状基材の一方の面と反対側の面にも、略一定の高さで突出した複数の突部を一体的に形成したことを特徴とする請求項１〜３のいずれか１項に記載の建築用下地材。
【請求項７】
上記遮熱材は、アルミ系シート状部材であることを特徴とする請求項１〜３のいずれか１項に記載の建築用下地材。
【発明の詳細な説明】
【技術分野】
【０００１】
本発明は、屋根下葺材又は壁のラス下地材、床の下地材等として用いる建築用下地材に関し、詳しくは、シート状基材の少なくとも片方の面に遮熱材を配設することによって、建物の外部側で熱を遮断し室内外における熱の通過を低減して、二次的に建物の省エネルギー化を推進しようとする建築用下地材に係るものである。
【背景技術】
【０００２】
従来の建築用下地材、例えば屋根下葺材は各種提案されているが、一例として、合成樹脂のシート状基材の上下両面に紙（例えばクラフト紙）を一体的に接合すると共に、その上面には一方向に直線状に延びる略一定高さの突条を所定間隔で一体的に形成し、且つそのシート状基材の下面には所定の高さだけ突出した多数のすき間形成用突起を一体的に形成して成るものがある（例えば、特許文献１参照）。
【０００３】
そして、このような屋根下葺材を使用して家屋の屋根の瓦葺きをするには、図８に示すように、屋根の棟から軒に向かって傾斜して渡された垂木１，１，…の上に、その傾斜に沿って野地板２が打ち付けられ、この野地板２の上面にシート状の屋根下葺材３が敷かれ、この屋根下葺材３の上面に所定の間隔で軒線と平行に瓦桟４，４，…が釘等で打ち付けられていた。そして、図９に示すように、裏面上部に引掛爪を有する瓦５の該引掛爪を上記瓦桟４の上辺部に引っ掛けることにより、上記瓦５を滑り落ちないように掛止して屋根を形成していた。
【特許文献１】特開２００５−１６１０９号公報
【発明の開示】
【発明が解決しようとする課題】
【０００４】
このような従来の屋根下葺材３においては、その上面には一定高さの突条が等間隔に形成され、且つそのシート状基材の下面には所定の高さだけ突出した多数のすき間形成用突起が形成されているので、屋根下葺材３の上面と瓦桟４の下面との間、及び野地板２の上面と屋根下葺材３の下面との間には所定間隔のすき間が形成され、家屋の屋根に浸入した雨水等の屋根下葺材３の上下面における排水性及び通気性を向上すると共に、雨水排水の横走りを防止することができる。
【０００５】
しかし、上記屋根下葺材３の上下両面には例えばクラフト紙が一体的に接合されているだけなので、該屋根下葺材３では、家屋の屋根において太陽熱を建物の外部側で遮断し室内に熱が通過するのを低減することができないものであった。例えば、夏季において太陽光線で熱せられて約７０〜８０℃程度に温度上昇した屋根瓦が放散する熱を遮断することができず、家屋室内の温度が上昇することがあった。したがって、室内冷房のためのエネルギーを多く消費することがあった。また、冬季においては家屋室内を暖房装置によって暖めるが、温度上昇した室内の熱を遮断して室外に熱が通過するのを低減することができず、家屋室内の温度が下がることがあった。したがって、室内暖房のためのエネルギーを多く消費することがあった。
【０００６】
そこで、本発明は、このような問題点に対処し、シート状基材の少なくとも片方の面に遮熱材を配設することによって、建物の外部側で熱を遮断し室内外における熱の通過を低減して、二次的に建物の省エネルギー化を推進しようとする建築用下地材を提供することを目的とする。
【課題を解決するための手段】
【０００７】
上記目的を達成するために、第１の発明による建築用下地材は、合成樹脂のシート状基材のいずれか一方の面に略一定の高さで突出した複数の突部を一体的に形成し、上記シート状基材の片方の面には熱を遮断する性質を有する遮熱材を配設したものである。
【０００８】
このような構成により、合成樹脂のシート状基材の片方の面に配設された遮熱材により、建物の外部側で熱を遮断し室内外における熱の通過を低減する。また、上記シート状基材のいずれか一方の面に一体的に形成された略一定の高さの複数の突部により、建築用下地材の一方の面に空気層を形成して遮熱効果を向上する。
【０００９】
また、第２の発明による建築用下地材は、合成樹脂のシート状基材のいずれか一方の面に略一定の高さで突出した複数の突部を一体的に形成し、上記シート状基材の片方の面には熱を遮断する性質を有する遮熱材を配設し、該シート状基材の他方の面には紙又は不織布を一体的に接合したものである。
【００１０】
このような構成により、合成樹脂のシート状基材の片方の面に配設された遮熱材により、建物の外部側で熱を遮断し室内外における熱の通過を低減する。また、上記シート状基材のいずれか一方の面に一体的に形成された略一定の高さの複数の突部により、建築用下地材の一方の面に空気層を形成して遮熱効果を向上する。さらに、上記シート状基材の他方の面に一体的に接合された紙又は不織布により、建築用下地材の吸湿性を向上する。
【００１１】
さらに、第３の発明による建築用下地材は、合成樹脂のシート状基材のいずれか一方の面に略一定の高さで突出した複数の突部を一体的に形成し、上記シート状基材の両方の面には熱を遮断する性質を有する遮熱材を配設したものである。
【００１２】
このような構成により、合成樹脂のシート状基材の両方の面に配設された遮熱材により、建物の外部側で熱をより良く遮断し室内外における熱の通過を低減する。また、上記シート状基材のいずれか一方の面に一体的に形成された略一定の高さの複数の突部により、建築用下地材の一方の面に空気層を形成して遮熱効果を向上する。
【００１３】
そして、上記複数の突部は、散点状の突起又は所定間隔で直線状に延びて設けられた複数本の突条とされている。これにより、散点状の突起又は所定間隔で直線状に延びて設けられた複数本の突条で、シート状基材のいずれか一方の面に略一定の高さで突出した複数の突部を形成し、この複数の突部により建築用下地材の一方の面に空気層を形成して遮熱効果を向上する。
【００１４】
また、上記遮熱材は、上記シート状基材の複数の突部が形成された一方の面に配設されている。これにより、シート状基材の複数の突部が形成された一方の面に配設された遮熱材で、建築用下地材の空気層が形成された側の一方の面にて建物の外部側で熱を遮断し室内外における熱の通過を低減する。
【００１５】
さらに、上記シート状基材の一方の面と反対側の面にも、略一定の高さで突出した複数の突部を一体的に形成してもよい。これにより、シート状基材の一方の面及びその反対側の面の両方に略一定の高さで形成された複数の突部で、建築用下地材の両方の面に空気層を形成して更に遮熱効果を向上する。
【００１６】
さらにまた、上記遮熱材は、アルミ系シート状部材から成る。これにより、アルミ系シート状部材で遮熱材を構成する。
【発明の効果】
【００１７】
請求項１に係る発明によれば、合成樹脂のシート状基材の片方の面に配設された遮熱材により、建物の外部側で熱を遮断し室内外における熱の通過を低減することができる。また、上記シート状基材のいずれか一方の面に一体的に形成された略一定の高さの複数の突部により、建築用下地材の一方の面に空気層を形成して遮熱効果を向上することができる。これにより、例えば、夏季において太陽光線で熱せられて温度上昇した屋根瓦が放散する熱を遮断することができ、家屋室内の温度上昇を抑制することができる。したがって、室内冷房のためのエネルギー消費を低減することができる。また、冬季において家屋室内の暖房装置によって温度上昇した室内の熱を遮断して室外に熱が通過するのを低減することができ、家屋室内の温度が下がるのを抑制することができる。したがって、室内暖房のためのエネルギー消費を低減することができる。これらにより、二次的に建物の省エネルギー化を推進することができる。さらに、地球温暖化防止に寄与することができる。
【００１８】
また、請求項２に係る発明によれば、合成樹脂のシート状基材の片方の面に配設された遮熱材により、建物の外部側で熱を遮断し室内外における熱の通過を低減することができる。また、上記シート状基材のいずれか一方の面に一体的に形成された略一定の高さの複数の突部により、建築用下地材の一方の面に空気層を形成して遮熱効果を向上することができる。さらに、上記シート状基材の他方の面に一体的に接合された紙又は不織布により、建築用下地材の吸湿性を向上することができる。これにより、請求項１に係る発明の場合と同様に、夏季において家屋室内の温度上昇を抑制することができ、室内冷房のためのエネルギー消費を低減することができる。また、冬季において家屋室内の温度が下がるのを抑制することができ、室内暖房のためのエネルギー消費を低減することができる。さらに、建築用下地材の吸湿性を向上して湿気を防止することができ、建築材料の湿気による腐食を防止して長持ちさせることができる。
【００１９】
さらに、請求項３に係る発明によれば、合成樹脂のシート状基材の両方の面に配設された遮熱材により、建物の外部側で熱をより良く遮断し室内外における熱の通過を低減することができる。また、上記シート状基材のいずれか一方の面に一体的に形成された略一定の高さの複数の突部により、建築用下地材の一方の面に空気層を形成して遮熱効果を向上することができる。これにより、請求項１に係る発明の場合よりも良く、夏季において家屋室内の温度上昇を抑制することができ、室内冷房のためのエネルギー消費を低減することができる。また、冬季において家屋室内の温度が下がるのを抑制することができ、室内暖房のためのエネルギー消費を低減することができる。
【００２０】
そして、請求項４に係る発明によれば、散点状の突起又は所定間隔で直線状に延びて設けられた複数本の突条で、シート状基材のいずれか一方の面に略一定の高さで突出した複数の突部を形成し、この複数の突部により建築用下地材の一方の面に空気層を形成して遮熱効果を向上することができる。
【００２１】
また、請求項５に係る発明によれば、シート状基材の複数の突部が形成された一方の面に配設された遮熱材で、建築用下地材の空気層が形成された側の一方の面にて建物の外部側で熱を遮断し室内外における熱の通過を低減することができる。
【００２２】
さらに、請求項６に係る発明によれば、シート状基材の一方の面及びその反対側の面の両方に略一定の高さで形成された複数の突部で、建築用下地材の両方の面に空気層を形成して更に遮熱効果を向上することができる。
【００２３】
さらにまた、請求項７に係る発明によれば、アルミ系シート状部材で遮熱材を構成することができる。したがって、遮熱材のコスト低下を図ることができる。
【発明を実施するための最良の形態】
【００２４】
以下、本発明の実施形態を添付図面に基づいて詳細に説明する。
図１は本発明による建築用下地材の第１の実施形態を示す図である。この建築用下地材は、例えば屋根下葺材又は壁のラス下地材、床の下地材等として用いるもので、図１は屋根下葺材を実施例として示す斜視図である。この屋根下葺材１０は、図８に示すように屋根の瓦葺きの際に野地板２上に敷くもので、図１に示すように、シート状基材１１のいずれか一方の面に複数の突起１４が一体的に形成され、該シート状基材１１の片方の面には遮熱材１２が配設され、該シート状基材１１の他方の面には紙１３が一体的に接合されている。
【００２５】
上記シート状基材１１は、屋根下葺材１０の芯材となるもので、例えばポリエチレンなどの合成樹脂により厚さが１mm前後のシート状に形成されている。上記シート状基材１１の一方の面、例えば上面には、略一定の高さで突出した複数の突部である突起１４，１４，…が一体的に形成されている。これらの突起１４は、例えば屋根の瓦葺きにおいて屋根下葺材１０の一方の面（上面）に空気層を形成し、遮熱効果を向上するためのもので、その突出高さは例えば２〜2.5mm程度とされている。そして、これらの突起１４，１４，…は、散点状に配置されており、例えば前後左右にマトリックス状に設けられている。
【００２６】
そして、上記突起１４は、図２に示すように、屋根下葺材１０の上面に打ち付けられる瓦桟４の下面との間にその突起１４の高さ分だけの小さい隙間１５を形成して、例えば屋根からの漏水を軒方向に排水せしめたり、通気性を向上する作用も発揮するようになっている。なお、上記突起１４，１４，…を、前後左右にマトリックス状に設けることにより、屋根下葺材１０と瓦桟４との間に形成される小さい隙間１５を各瓦桟４の長手方向において略一定に保つことができる。したがって、この隙間１５により、上記瓦桟４との間における空気の流通作用を場所によらず一様とすることができる。
【００２７】
上記シート状基材１１の片方の面、例えば上面には、遮熱材１２が配設されている。この遮熱材１２は、建物の外部側で熱を遮断し室内外における熱の通過を低減しようとするもので、熱を遮断する性質を有する材料、例えば熱を反射するアルミシートから成り、上記シート状基材１１の上面にて複数の突起１４が形成された側に貼り付けられている。なお、遮熱材１２は、アルミシートに限られず、アルミフィルム又はアルミ箔等のアルミ系シート状部材ならどのようなものであってもよい。また、金、銀、銅等の金属製シート状部材であってもよい。或いは、熱を反射し熱を遮断する性質を有する遮熱塗料であってもよい。
【００２８】
上記シート状基材１１の他方の面、例えば下面には、紙１３が一体的に接合されている。この紙１３は、上記シート状基材１１の下面を覆う表面材となるもので、例えばクラフト紙から成る。そして、この紙１３により、屋根下葺材１０の吸湿性を向上する。なお、この紙１３は、不織布に置き換えてもよい。
【００２９】
このような屋根下葺材１０の全体的な寸法は、例えば幅が１〜２ｍ前後とされ、長さが約２１ｍ，４２ｍなどとされている。そして、図１において、屋根下葺材１０の例えば一端部１０ａ側が屋根の棟側に位置され、他端部１０ｂ側が軒側に位置するようにされている。
【００３０】
図３は、本発明に係る屋根下葺材１０の第２の実施形態を示す図１のＡ−Ａ線拡大断面図である。この実施形態は、上記シート状基材１１の一方の面（上面）と反対側の面（下面）にも、略一定の高さで突出した複数の突起１６，１６，…を一体的に形成したものである。これらの突起１６は、例えば屋根の瓦葺きにおいて野地板２の上面に敷かれる屋根下葺材１０の下面との間に空気層を形成し、遮熱効果を向上するためのもので、上面の突起１４と同様に散点状に配置されており、例えば前後左右にマトリックス状に設けられている。この場合は、シート状基材１１の上下両方の面に略一定の高さで形成された複数の突起１４，１６で、屋根下葺材１０の両方の面に空気層を形成して更に遮熱効果を向上することができる。
【００３１】
なお、上記突起１６は、図３に示すように、屋根下葺材１０と野地板２との間に形成される小さいすき間１７を、下面全面にわたって略一定に保つことができる。したがって、屋根に浸入した湿気等を上記のすき間１７を介して通過させて、下葺材裏面における湿気を防止することができる。また、上記のすき間１７が略一定に保たれることから、上記野地板２との間における空気の流通作用を場所によらず一様とすることができる。
【００３２】
図４は、本発明に係る屋根下葺材１０の第３の実施形態を示す斜視図であり、図５は、図４のＢ−Ｂ線拡大断面図である。この実施形態は、シート状基材１１の一方の面（上面）に略一定の高さで突出した複数の突起１４を一体的に形成し、上記シート状基材１１の両方の面には遮熱材１２（例えばアルミシート）を配設したものである。この場合は、シート状基材１１の両方の面に配設された遮熱材１２により、建物の外部側で熱をより良く遮断し室内外における熱の通過を低減することができる。なお、この実施形態の場合においても、図５において、図３に示すと同様にシート状基材１１の下面にも、略一定の高さで突出した複数の突起１６，１６，…を一体的に形成してもよい。
【００３３】
図６は、本発明に係る屋根下葺材１０の第４の実施形態を示す斜視図であり、図７は、図６のＣ−Ｃ線拡大断面図である。この実施形態は、シート状基材１１の一方の面、例えば上面には、略一定の高さで突出した複数の突起１４，１４，…及び所定間隔で直線状に延びて設けられた複数本の突条１８，１８，…を一体的に形成し、上記シート状基材１１の片方の面（上面）には紙１３を一体的に接合し、該シート状基材１１の他方の面（下面）には遮熱材１２（例えばアルミシート）を配設したものである。さらに、図７に示すように、シート状基材１１の下面には、略一定の高さで突出した複数の突起１６，１６，…が一体的に形成されている。この場合は、散点状の複数の突起１４及び所定間隔の複数本の突条１８で、シート状基材１１の一方の面に略一定の高さで突出した複数の突部を形成し、この複数の突部により屋根下葺材１０の一方の面に空気層を形成して遮熱効果を向上することができる。
【００３４】
なお、上記複数本の突条１８は、図７に示すように、屋根下葺材１０の上面に打ち付けられる瓦桟４の下面との間にその突条１８の高さ分だけの小さい隙間１５を形成して、例えば屋根からの漏水を軒方向に案内して排水せしめたり、通気性を向上すると共に、雨水排水の横走りを防止するものである。そして、図６において、屋根下葺材１０の例えば一端部１０ａ側が屋根の棟側に位置され、他端部１０ｂ側が軒側に位置して、その上面の突条１８，１８，…の長手方向が屋根の傾斜方向に沿うようにされている。
【００３５】
また、上記突条１８，１８，…の間隔は、例えば約２〜１０cm程度とされている。上記略一定高さの複数の突条１８を所定間隔で形成したことにより、屋根下葺材１０と瓦桟４との間に形成される小さい隙間１５を各瓦桟４の長手方向において略一定に保つことができる。従って、屋根からの漏水を瓦桟４の上角部に滞留させることなく、上記の隙間１５を介して通過させると共に突条１８，１８，…により横走りを防止して軒方向に流下排水させることができる。また、図７に示す隙間１５が略一定に保たれることから、上記瓦桟４との間における空気の流通作用を場所によらず一様とすることができる。
【００３６】
さらに、図６及び図７において、シート状基材１１に対する紙１３と遮熱材１２の配設位置を逆にして、上面に遮熱材１２を配設し、下面に紙１３を接合してもよい。また、シート状基材１１の上下両面に遮熱材１２を配設してもよい。また、シート状基材１１の下面には、複数の突起１６，１６，…を設けなくてもよい。
【００３７】
なお、以上の説明においては、シート状基材１１の上面及び下面には、遮熱材１２又は紙１３のどちらかを配設するものとしたが、本発明はこれに限られず、最低限の構成としては、シート状基材１１のいずれか一方の面（上面又は下面）に略一定の高さで突出した散点状の複数の突起１４又は所定間隔の複数本の突条１８を一体的に形成し、上記シート状基材１１の片方の面（上面又は下面）に遮熱材１２を配設するだけでよい。
【００３８】
また、以上の説明においては、屋根下葺材１０の上面又は下面の複数の突起１４，１６の平面形状を円形に形成したものとしたが、本発明はこれに限らず、平面視で四角形、五角形、六角形などの多角形に形成してもよいし、その他の適宜の形状としてもよい。また、その高さ等の寸法も屋根の施工状態に合わせて適宜の寸法としてもよい。
【００３９】
そして、以上においては、本発明による建築用下地材を屋根下葺材１０に適用したものとして説明したが、これに限られず、本発明による建築用下地材は、壁のラス下地材又は床の下地材等の他の下地材にも適用することができる。
【図面の簡単な説明】
【００４０】
【図１】本発明による建築用下地材の実施例としての屋根下葺材の第１の実施形態を示す斜視図である。
【図２】図１のＡ−Ａ線拡大断面図である。
【図３】本発明に係る屋根下葺材の第２の実施形態を示す図１のＡ−Ａ線拡大断面図である。
【図４】本発明に係る屋根下葺材の第３の実施形態を示す斜視図である。
【図５】図４のＢ−Ｂ線拡大断面図である。
【図６】本発明に係る屋根下葺材の第４の実施形態を示す斜視図である。
【図７】図６のＣ−Ｃ線拡大断面図である。
【図８】本発明及び従来例における屋根の瓦葺きの状態を説明する斜視図である。
【図９】本発明及び従来例における屋根の形成状態を示す要部の拡大側断面図である。
【符号の説明】
【００４１】
２…野地板
４…瓦桟
１０…屋根下葺材
１１…シート状基材
１２…遮熱材
１３…紙
１４，１６…突起
１５…小さい隙間
１７…小さいすき間
１８…突条
【図１】
2008214934.tif 000003
【図２】
2008214934.tif 000004
【図３】
2008214934.tif 000005
【図４】
2008214934.tif 000006
【図５】
2008214934.tif 000007
【図６】
2008214934.tif 000008
【図７】
2008214934.tif 000009
【図８】
2008214934.tif 000010
【図９】
2008214934.tif 000011